【手続補正書】
【提出日】平成29年4月14日(2017.4.14)
【手続補正１】
【補正対象書類名】特許請求の範囲
【補正対象項目名】全文
【補正方法】変更
【補正の内容】
【特許請求の範囲】
【請求項１】
キャリアアグリゲーションを行うための端末装置（ＵＥ）であって、
プロセッサと、
前記プロセッサと電子通信を行うメモリとを備え、前記メモリに記憶された命令は、
キャリアアグリゲーションのための少なくも２つの在圏セルの各々の多重方式を確定するために実行可能であり、
前記少なくも２つの在圏セルのうちのプライマリセルが時分割多重（ＴＤＤ）セルであり、前記少なくも２つの在圏セルのうちの１つのセカンダリセルが周波数分割多重（ＦＤＤ）セルであり、
前記命令は、
特定の在圏セルのための物理下りリンク共有チャネル（ＰＤＳＣＨ）ハイブリッド自動再送要求肯定応答／否定応答（ＨＡＲＱ−ＡＣＫ）送信タイミングを確定するために実行可能であり、
前記特定の在圏セルのための前記ＰＤＳＣＨ  ＨＡＲＱ−ＡＣＫ送信タイミングは、前記特定の在圏セルのための下りリンク（ＤＬ）アソシエーションセットに基づいて確定され、
前記特定の在圏セルのための前記ＤＬアソシエーションセットは、プライマリセルＵＬ／ＤＬ構成に基づいて確定されるＤＬ参照ＵＬ／ＤＬ構成に基づいて、ＦＤＤ  ＤＬアソシエーションセットのためのテーブルを用いて確定され、
前記テーブルは、ＤＬ参照ＵＬ／ＤＬ構成０からＤＬ参照ＵＬ／ＤＬ構成６までの各々について、対応するＤＬアソシエーションセットを示すものであり、
前記命令は、
ＰＤＳＣＨ  ＨＡＲＱ−ＡＣＫ情報を前記ＰＤＳＣＨ  ＨＡＲＱ−ＡＣＫ送信タイミングに基づいて送信するために
実行可能である、
端末装置（ＵＥ）。
【請求項２】
前記少なくも２つの在圏セルは、前記プライマリセルと、前記ＦＤＤセルである前記１つのセカンダリセルと、ＴＤＤセルである別のセカンダリセルとを含む、少なくとも３つの在圏セルであり、
前記特定の在圏セルが前記１つのセカンダリセルである場合には、前記ＤＬ参照ＵＬ／ＤＬ構成が前記プライマリセルＵＬ／ＤＬ構成に基づいて確定され、
前記特定の在圏セルが前記別のセカンダリセルである場合には、前記ＤＬ参照ＵＬ／ＤＬ構成が前記プライマリセルＵＬ／ＤＬ構成と前記特定の在圏セルのＵＬ／ＤＬ構成とに基づいて確定される、請求項１に記載のＵＥ。
【請求項３】
キャリアアグリゲーションを行うための基地局装置（ｅＮＢ）であって、
プロセッサと、
前記プロセッサと電子通信を行うメモリとを備え、前記メモリに記憶された命令は、
キャリアアグリゲーションのための少なくも２つの在圏セルの各々の多重方式を確定するために実行可能であり、
前記少なくも２つの在圏セルのうちのプライマリセルが時分割多重（ＴＤＤ）セルであり、前記少なくも２つの在圏セルのうちの１つのセカンダリセルが周波数分割多重（ＦＤＤ）セルであり、
前記命令は、
特定の在圏セルのための物理下りリンク共有チャネル（ＰＤＳＣＨ）ハイブリッド自動再送要求肯定応答／否定応答（ＨＡＲＱ−ＡＣＫ）送信タイミングを確定するために実行可能であり、
前記特定の在圏セルのための前記ＰＤＳＣＨ  ＨＡＲＱ−ＡＣＫ送信タイミングは、前記特定の在圏セルのための下りリンク（ＤＬ）アソシエーションセットに基づいて確定され、
前記特定の在圏セルのための前記ＤＬアソシエーションセットは、プライマリセルＵＬ／ＤＬ構成に基づいて確定されるＤＬ参照ＵＬ／ＤＬ構成に基づいて、ＦＤＤ  ＤＬアソシエーションセットのためのテーブルを用いて確定され、
前記テーブルは、ＤＬ参照ＵＬ／ＤＬ構成０からＤＬ参照ＵＬ／ＤＬ構成６までの各々について、対応するＤＬアソシエーションセットを示すものであり、
前記命令は、
ＰＤＳＣＨ  ＨＡＲＱ−ＡＣＫ情報を前記ＰＤＳＣＨ  ＨＡＲＱ−ＡＣＫ送信タイミングに基づいて受信するために
実行可能である、基地局装置（ｅＮＢ）。
【請求項４】
前記少なくも２つの在圏セルは、前記プライマリセルと、前記ＦＤＤセルである前記１つのセカンダリセルと、ＴＤＤセルである別のセカンダリセルとを含む、少なくとも３つの在圏セルであり、
前記特定の在圏セルが前記１つのセカンダリセルである場合には、前記ＤＬ参照ＵＬ／ＤＬ構成が前記プライマリセルＵＬ／ＤＬ構成に基づいて確定され、
前記特定の在圏セルが前記別のセカンダリセルである場合には、前記ＤＬ参照ＵＬ／ＤＬ構成が前記プライマリセルＵＬ／ＤＬ構成と前記特定の在圏セルのＵＬ／ＤＬ構成とに基づいて確定される、請求項３に記載のｅＮＢ。
【請求項５】
端末装置（ＵＥ）によってキャリアアグリゲーションを行うための方法であって、
キャリアアグリゲーションのための少なくも２つの在圏セルの各々の多重方式を確定するステップを含み、
前記少なくも２つの在圏セルのうちのプライマリセルが時分割多重（ＴＤＤ）セルであり、前記少なくも２つの在圏セルのうちの１つのセカンダリセルが周波数分割多重（ＦＤＤ）セルであり、
特定の在圏セルのための物理下りリンク共有チャネル（ＰＤＳＣＨ）ハイブリッド自動再送要求肯定応答／否定応答（ＨＡＲＱ−ＡＣＫ）送信タイミングを確定するステップを含み、
前記特定の在圏セルのための前記ＰＤＳＣＨ  ＨＡＲＱ−ＡＣＫ送信タイミングは、前記特定の在圏セルのための下りリンク（ＤＬ）アソシエーションセットに基づいて確定され、
前記特定の在圏セルのための前記ＤＬアソシエーションセットは、プライマリセルＵＬ／ＤＬ構成に基づいて確定されるＤＬ参照ＵＬ／ＤＬ構成に基づいて、ＦＤＤ  ＤＬアソシエーションセットのためのテーブルを用いて確定され、
前記テーブルは、ＤＬ参照ＵＬ／ＤＬ構成０からＤＬ参照ＵＬ／ＤＬ構成６までの各々について、対応するＤＬアソシエーションセットを示すものであり、
ＰＤＳＣＨ  ＨＡＲＱ−ＡＣＫ情報を前記ＰＤＳＣＨ  ＨＡＲＱ−ＡＣＫ送信タイミングに基づいて送信するステップを含む、方法。
【請求項６】
前記少なくも２つの在圏セルは、前記プライマリセルと、前記ＦＤＤセルである前記１つのセカンダリセルと、ＴＤＤセルである別のセカンダリセルとを含む、少なくとも３つの在圏セルであり、
前記特定の在圏セルが前記１つのセカンダリセルである場合には、前記ＤＬ参照ＵＬ／ＤＬ構成が前記プライマリセルＵＬ／ＤＬ構成に基づいて確定され、
前記特定の在圏セルが前記別のセカンダリセルである場合には、前記ＤＬ参照ＵＬ／ＤＬ構成が前記プライマリセルＵＬ／ＤＬ構成と前記特定の在圏セルのＵＬ／ＤＬ構成とに基づいて確定される、請求項５に記載の方法。
【請求項７】
基地局装置（ｅＮＢ）によってキャリアアグリゲーションを行うための方法であって、
キャリアアグリゲーションのための少なくも２つの在圏セルの各々の多重方式を確定するステップを含み、
前記少なくも２つの在圏セルのうちのプライマリセルが時分割多重（ＴＤＤ）セルであり、前記少なくも２つの在圏セルのうちの１つのセカンダリセルが周波数分割多重（ＦＤＤ）セルであり、
特定の在圏セルのための物理下りリンク共有チャネル（ＰＤＳＣＨ）ハイブリッド自動再送要求肯定応答／否定応答（ＨＡＲＱ−ＡＣＫ）送信タイミングを確定するステップを含み、
前記特定の在圏セルのための前記ＰＤＳＣＨ  ＨＡＲＱ−ＡＣＫ送信タイミングは、前記特定の在圏セルのための下りリンク（ＤＬ）アソシエーションセットに基づいて確定され、
前記特定の在圏セルのための前記ＤＬアソシエーションセットは、プライマリセルＵＬ／ＤＬ構成に基づいて確定されるＤＬ参照ＵＬ／ＤＬ構成に基づいて、ＦＤＤ  ＤＬアソシエーションセットのためのテーブルを用いて確定され、
前記テーブルは、ＤＬ参照ＵＬ／ＤＬ構成０からＤＬ参照ＵＬ／ＤＬ構成６までの各々について、対応するＤＬアソシエーションセットを示すものであり、
ＰＤＳＣＨ  ＨＡＲＱ−ＡＣＫ情報を前記ＰＤＳＣＨ  ＨＡＲＱ−ＡＣＫ送信タイミングに基づいて受信するステップを含む、方法。
【請求項８】
前記少なくも２つの在圏セルは、前記プライマリセルと、前記ＦＤＤセルである前記１つのセカンダリセルと、ＴＤＤセルである別のセカンダリセルとを含む、少なくとも３つの在圏セルであり、
前記特定の在圏セルが前記１つのセカンダリセルである場合には、前記ＤＬ参照ＵＬ／ＤＬ構成が前記プライマリセルＵＬ／ＤＬ構成に基づいて確定され、
前記特定の在圏セルが前記別のセカンダリセルである場合には、前記ＤＬ参照ＵＬ／ＤＬ構成が前記プライマリセルＵＬ／ＤＬ構成と前記特定の在圏セルのＵＬ／ＤＬ構成とに基づいて確定される、請求項７に記載の方法。